(57)【要約】【課題】  一般家庭において、簡便に垢とりが可能であり、また、ボディ洗浄具としても使用でき、安価で、健康維持に役立つ垢とりパフを提供する、【解決手段】  手のひらサイズのスポンジ１の一側面に垢すり布地２が設けられ、他側面にタオル布地３が設けられてなり、好ましくは、垢すり布地が一方向の編み目４が強調され、さらに好ましくは、片面の略中央部に手指部Ｆが挿入されるバンド５が設けられ、該バンド５がメッシュ布地からなり、且つ、反対面に移行自在であり、さらに好ましくは、前記垢すり布地２及びタオル布地３に抗菌処理が施されてなる。【選択図】図１
0003120062.tif 000002
【実用新案登録請求の範囲】
【請求項１】
手のひらサイズのスポンジの一側面に垢すり布地が設けられ、他側面にタオル布地が設けられた垢とりパフ。
【請求項２】
垢すり布地が一方向の編み目が強調されたものであることを特徴とする請求項１に記載の垢とりパフ。
【請求項３】
片面の略中央部に手指部が挿入されるバンドが設けられ、該バンドが反対面に移行自在であることを特徴とする請求項１又は２に記載の垢とりパフ。
【請求項４】
前記バンドがメッシュ布地であることを特徴とする請求項３に記載の垢とりパフ。
【請求項５】
タオル布地が抗菌処理を施されたものであることを特徴とする請求項１、２、３又は４に記載の垢とりパフ。
【考案の詳細な説明】
【技術分野】
【０００１】
本考案は、一般家庭において、垢とりのほか、ボディ洗浄具として使用できる垢とりパフに関する。
【背景技術】
【０００２】
従来、業務用等として、手袋タイプの垢とりが提供されているが、一般家庭で簡便に使用できる垢とりは提供されていない。
【０００３】
前記手袋タイプの垢とりは、使用後、内部を含めての清潔感を維持するのに手数を要する。すなわち、再使用のための洗濯、さらに乾燥等の取扱いに手数を要する。また、高価である。
【考案の開示】
【考案が解決しようとする課題】
【０００４】
本考案は、前記事情に鑑み、一般家庭において簡便に垢とりが可能であり、また、ボディ洗浄具としても使用でき、安価で、健康維持に役立つ垢とりパフを提供しようとするものである。
【課題を解決するための手段】
【０００５】
前記目的を達成するために、本考案にかかる垢とりパフは、手のひらサイズのスポンジの一側面に垢すり布地が設けられ、他側面にタオル布地が設けられた構成としたものである（請求項１）。
【０００６】
前記構成によれば、全体の大きさが、手のひらサイズであるため、握持が容易であり、さらに、時（一週間に一度垢すりを行うなど）と好みによって垢とりとして、あるいは、ボディ洗浄具として使用できる。
【０００７】
また、使用時には、内部のスポンジのクッション効果により、肌への刺激がやわらげられ、肌にもフィットし、垢とり及びボディの洗浄効果が高められる。
【０００８】
本考案の実施の一形態は、垢すり布地が一方向の編み目が強調されたものであることを特徴とする（請求項２）。この実施の一形態によれば、前記強調された編み目と交差する方向に垢すりを往復動させることにより、垢とり効果が高められる。
【０００９】
本考案の実施の一形態は、片面の略中央部に手指部が挿入されるバンドが設けられ、該バンドが反対面に移行自在であることを特徴とする（請求項３）。
【００１０】
前記バンドを設けることは、垢とりパフを握持する必要がなく、前記バンドによって前記垢とりパフを手に容易に保持することができるため垢すりあるいはボディ洗浄作業を効果的に行うことができる。
【００１１】
しかし、前記バンドが、垢すり面あるいはボディ洗浄面に固定されたままでの状態の場合には、前記バンドが邪魔になり、該バンド取付け面において垢すりあるいはボディの洗浄を有効に行うことができない。
【００１２】
そこで、本考案の実施の一形態は、さらに、前記バンドが反対面に移行自在であることを特徴とする。このことは、前記バンドと前記垢とりパフの相対的な関係であり、前記垢とりパフが前記スポンジと前記垢すり布地と前記タオル布地で構成され、全体が柔軟性を有することから、前記垢とりパフを裏返しながら前記バンド内側を通すことにより、前記バンドが反対面に移行される。いわゆるリバーシブルといわれる状態である。
【００１３】
前記リバーシブルと言われる状態は、本考案においては、特別の構成を必要としないが、前記垢すりパフが柔軟性に欠ける場合や前記バンドの幅が極端に広い場合には前記リバーシブルといわれる状態を得ることに困難を伴うものである。
【００１４】
本考案の実施の一形態は、前記バンドがメッシュ布地であることを特徴とする（請求項４）。この実施の一形態によれば、手に優しいことのほか、洗濯後の乾燥が速められ衛生的である。
【００１５】
本考案の実施の一形態は、前記タオル布地が抗菌処理を施されたものであることを特徴とする（請求項５）。この実施の一形態によれば、雑菌の付着が防止され衛生的である。
【考案の効果】
【００１６】
本考案の垢とりパフによれば、一般家庭において、簡便に垢とりが可能であり、また、ボディ洗浄具としても使用でき、安価で、健康維持に役立つ効果が得られる。
【考案を実施するための最良の形態】
【００１７】
以下に、本考案の実施の一形態を、図面を参照して詳細に説明する。図１は、本考案に係る垢すりパフの一部切欠及び使用状態を示す平面斜視図、図２は、その背面斜視図である。
【００１８】
図中、１は、水切れの良いウレタン等からなるスポンジであり、ほぼ手のひらサイズに構成され、使い易さを考慮して厚さが１０〜１５ｍｍ程度とされる。なお、図面実施例では小判型に形成されているが、その形状は問わない。
【００１９】
前記スポンジ１の一側面には、図２に示すように、垢すり布地２が設けられ、他側面には、図１に示すように、タオル布地３が設けられる。
【００２０】
前記本考案の垢すりパフＰは、具体的には、予め、前記垢すり布地２と前記タオル布地３によって適位置を開口した袋体が形成され、該袋体の開口から、その内部に前記スポンジ１が充填して、前記開口を閉じて生産される。
【００２１】
図面実施例では、前記垢すり布地２が、一方向、図中の矢印Ｘ方向の編み目４が強調されたレーヨン等で構成されている。この状態にあっては、垢すり作業は、前記垢すり布地２の前記強調された編み目４と交差する方向、図中の矢印Ｙ方向に往復動させて使用される。
【００２２】
前記タオル布地３としては、肌触りがよく、洗剤のあわ立ちのよい起毛布、その他の材質が選択される。
【００２３】
図面実施例では、前記垢すりパフＰの片面の略中央部に手指部Ｆが挿入されるバンド５が設けられている。なお、該バンド５は、メッシュ布地とすることが好ましい。また、該バンド５を設けた構成において、該バンド５を反対面に移行自在に構成することが必要である。
【００２４】
すなわち、図１の状態にあっては、垢すりは可能であるが、ボディ洗浄具として使用することができない。すなわち、前記バンド５が邪魔である。そこで、本考案の場合、前記バンド５が、前記タオル布地３側から前記垢すり布地２側に移行させられる。
【００２５】
前記バンド５の前記タオル布地３側から前記垢すり布地２側（反対面）への移行は、図１において、例えば、垢とりパフＰの一端Ａを上方に折り曲げて、該一端Ａを前記バンド５の内側を通すことにより前記垢とりパフＰが反転させられ、前記垢すり布地２側（反対面）へバンド５が移行させられるものである。
【００２６】
前記のごとくして、前記バンド５の垢すり布地２側（反対面）への移行により、前記タオル布地３面から前記バンド５が消えて、ボディ洗浄具としての使用が可能になるものである。
【００２７】
さらに、本考案では、前記タオル布地３に適宜抗菌処理が施される。図中、６は、吊り下げ部であり、不使用時に吊り下げておくことにより、水気が下方の弧状部に集中させられ、さらに迅速に落下することを勘案した位置に設けられている。
【図面の簡単な説明】
【００２８】
【図１】本考案に係る垢すりパフの一部切欠及び使用状態を示す平面斜視図である。
【図２】図１の背面斜視図である。
【符号の説明】
【００２９】
１    スポンジ
２    垢すり布地
３    タオル布地
４    編み目
５    バンド
【図１】
0003120062.tif 000003
【図２】
0003120062.tif 000004